(57)【要約】【課題】ピアノ全体として従来ほど剛性を高めることなく、ペダルの踏込み時や強打演奏時におけるピアノ本体の揺動を防止でき、製造コストを削減することができるグランド型ピアノの支持装置を提供する。【解決手段】下方に延びるペダルユニット４を取り付けたピアノ本体２を設置面Ｆ上で支持するためのグランド型ピアノの支持装置１６であって、ピアノ本体２の下面に設けられ、設置面Ｆとの間に上下方向に延び、ピアノ本体２を支持する複数の脚３と、ペダルユニット４に上下方向に移動自在に設けられ、下方への移動によって設置面Ｆに圧接される圧接部１４ａを有するペダルユニット圧接機構１５と、を備えている。【選択図】  図１
2004151593.tif 000002
【特許請求の範囲】
【請求項１】
下方に延びるペダルユニットを取り付けたピアノ本体を設置面上で支持するためのグランド型ピアノの支持装置であって、
前記ピアノ本体の下面に設けられ、前記設置面との間に上下方向に延び、前記ピアノ本体を支持する複数の脚と、
前記ペダルユニットに上下方向に移動自在に設けられ、下方への移動によって前記設置面に圧接される圧接部を有するペダルユニット圧接機構と、
を備えていることを特徴とするグランド型ピアノの支持装置。
【請求項２】
前記ペダルユニット圧接機構は、前記圧接部から上方に延び、前記ペダルユニットに上下方向に進退自在にねじ込まれたねじ部をさらに有していることを特徴とする請求項１に記載のグランド型ピアノの支持装置。
【請求項３】
前記圧接部は、前記ねじ部に着脱自在にねじ込まれていることを特徴とする請求項２に記載のグランド型ピアノの支持装置。
【請求項４】
前記ペダルユニット圧接機構は、
前記圧接部から上方に延び、前記ペダルユニットに上下方向にスライド自在に取り付けられるとともに、上下方向に並んで形成された多数の歯を有するスライダと、
前記スライダを上方に付勢するばねと、
前記ペダルユニットに回動自在に取り付けられ、前記スライダの前記多数の歯の１つに係合することによって、前記圧接部を前記設置面に圧接した状態に保持するストッパと、
をさらに有していることを特徴とする請求項１に記載のグランド型ピアノの支持装置。
【請求項５】
前記ペダルユニット圧接機構は、
前記圧接部から上方に延び、前記ペダルユニットに上下方向にスライド自在に取り付けられ、ガイドピンを有するスライダと、
一端部が前記ペダルユニットに支点を介して回動自在に取り付けられ、長さ方向に沿って延び且つ前記ガイドピンが移動自在に係合する溝を有する操作レバーと、
前記支点と前記ガイドピンとの間に設けられ、前記ガイドピンを前記操作レバーの他端部側に付勢する伸縮自在のばねと、
をさらに有していることを特徴とする請求項１に記載のグランド型ピアノの支持装置。
【発明の詳細な説明】
【０００１】
本発明は、ペダルユニットを有するグランド型ピアノを支持するグランド型ピアノの支持装置に関する。
【発明の属する技術分野】
【０００２】
【従来の技術】
本出願人による調査の結果、本発明に関連する技術を記載した先行技術文献を発見することはできなかった。そのため、本項においては、従来、一般に実施されている技術について説明する。
【０００３】
従来の電子ピアノとして、アコースティックなグランドピアノの外形を模したグランド型電子ピアノ（以下、単に「電子ピアノ」という）が知られている。このような電子ピアノは、一般に、ピアノ本体と、これを支持する３本の脚を備え、各脚の下端には、移動用のキャスターが取り付けられている。また、各脚は、それぞれ笠木を介して、ピアノ本体の下面の棚板または座板に固定されている。また、この電子ピアノは、ペダル効果を付与するためのペダルを備えており、ピアノ本体には、このペダルを含むペダルユニットが、下方に延びるとともに設置面との間に間隔を存した状態で取り付けられている。また、ペダルユニットを支持するための複数のペダル支えが、ペダルユニットと棚板との間に取り付けられている。
【０００４】
【発明が解決しようとする課題】
このような従来の電子ピアノには、以下のような問題がある。前述したように、ペダルユニットは、一端部がピアノ本体に取り付けられるとともに、他端部が設置面との間に間隔を存した状態になっているため、ペダルの踏込み操作に伴って、ピアノ本体が揺動することがあり、それが演奏の妨げとなってしまうことがある。また、鍵を強く押鍵する強打演奏を行う際にも、同様にピアノ本体が揺動してしまうことがある。このようなピアノ本体の揺動を防止するために、一般に、電子ピアノ全体として十分な剛性を確保する方法が採用されている。しかし、その場合には、ピアノ本体の構造部材である棚板、座板や側板、および３本の脚や笠木などの各構成部材として、高い剛性のものを用いるとともに、これらの構成部材間を強固に接合する必要がある。その結果、各構成部材のサイズが大きくなったり、加工や組立てにより多くの労力が必要になったりすることによって、製造コストが上昇するとともに、電子ピアノ全体の重量が大きくなってしまう。このような問題は、アコースティックなグランドピアノにもある程度、共通するものである。
【０００５】
また、電子ピアノは、アコースティックなグランドピアノと比較してかなり軽量であるため、ペダル踏込み時や強打演奏時のように、ピアノ本体に大きな力を加えたときに、電子ピアノ全体が滑動しやすい。そのため、各キャスターにストッパがさらに設けられており、それが、さらに製造コストを上昇させてしまう。
【０００６】
本発明は、このような課題を解決するためになされたものであり、ピアノ全体として従来ほど剛性を高めることなく、ペダルの踏込み時や強打演奏時におけるピアノ本体の揺動を防止でき、製造コストを削減することができるグランド型ピアノの支持装置を提供することを目的としている。
【０００７】
【課題を解決するための手段】
この目的を達成するために、本発明の請求項１に係る発明は、下方に延びるペダルユニットを有するピアノ本体を設置面上で支持するためのグランド型ピアノの支持装置であって、ピアノ本体の下面に設けられ、設置面との間に上下方向に延び、ピアノ本体を支持する複数の脚と、ペダルユニットに上下方向に移動自在に設けられ、下方への移動によって設置面に圧接される圧接部を有するペダルユニット圧接機構と、を備えていることを特徴とする。
【０００８】
このグランド型ピアノの支持装置（以下、単に「支持装置」という）によれば、ピアノ本体は、複数の脚によって設置面上で支持されている。また、ピアノ本体から下方に延びるペダルユニットに設けられたペダルユニット圧接機構の圧接部を下方に移動させることによって、圧接部が設置面に圧接される。すなわち、ペダルユニットおよび圧接部は、ピアノ本体および設置面をそれぞれ押圧し、両者間に突っ張った状態で支持される。
【０００９】
このように、設置面への圧接部の圧接によって、ペダルユニットおよび圧接部が突っ張った状態で存在するので、ペダルユニットのペダルの踏込み操作や強打演奏が行われた際にも、ピアノ本体のたわみを防止でき、それにより、ピアノ本体の揺動を防止することができる。
【００１０】
以上の結果、ピアノ本体の揺動を防止するのに、ピアノ本体の構造部材や複数の脚などの構成部材に高い剛性が要求されないとともに、これらの構成部材同士を強固に連結する必要がなくなる。したがって、各構成部材を小サイズ化することや、笠木などの一部の構成部材の省略が可能になり、その加工や組立てに要する労力を軽減できることによって、製造コストを削減することができる。また、ピアノ全体の重量を軽減することができる。さらに、電子ピアノの場合には特に、圧接部と設置面との間に作用する摩擦力によって、ピアノ本体の滑動を防止でき、それにより、キャスターのストッパが不要になることによって、製造コストをさらに削減することができる。また、ピアノを移動させる際には、圧接部を上方に移動させ、圧接状態を解除することによって、ピアノの移動を支障なく行うことができる。
【００１１】
請求項２に係る発明は、請求項１に記載のグランド型ピアノの支持装置において、ペダルユニット圧接機構は、圧接部から上方に延び、ペダルユニットに上下方向に進退自在にねじ込まれたねじ部をさらに有していることを特徴とする。
【００１２】
この支持装置によれば、圧接部の上方に延びるねじ部を所定の方向に回し、ねじ部をペダルユニットに対し、下方に最大限移動させることによって、圧接部を設置面に圧接させることができる。また、ねじ部を上記と逆方向に回すことによって、圧接状態を解除することができる。このように、ねじ部を回すだけの簡単な操作で、圧接部の圧接およびその解除を容易に行うことができる。また、圧接部から延びるねじ部を有するだけでよいので、構成も非常に単純である。
【００１３】
請求項３に係る発明は、請求項２に記載のグランド型ピアノの支持装置において、圧接部は、ねじ部に着脱自在にねじ込まれていることを特徴とする。
【００１４】
この支持装置によれば、圧接部をねじ部に対して所定の方向に回すことによって、圧接部のみを、ねじ部から、したがってペダルユニットから容易に取り外すことができる。それにより、圧接部のメンテナンスや交換を、容易に行うことができる。
【００１５】
請求項４に係る発明は、請求項１に記載のグランド型ピアノの支持装置において、ペダルユニット圧接機構は、圧接部から上方に延び、ペダルユニットに上下方向にスライド自在に取り付けられ、上下方向に並んで形成された多数の歯を有するスライダと、スライダを上方に付勢するばねと、ペダルユニットに回動自在に取り付けられ、多数の歯の１つに係合することによって、圧接部を設置面に圧接した状態で保持するストッパと、をさらに有していることを特徴とする。
【００１６】
この支持装置によれば、スライダの上端部を、例えば踏み込んで下方に押圧すると、スライダは、ばねの付勢力に抗して下方にスライドする。そして、圧接部が設置面に当接すると、スライダのスライドが停止し、圧接部が、設置面に圧接された状態になる。その際、ストッパがスライダの多数の歯の１つに係合するとともに、ばねによる上方への付勢力によって、圧接状態が維持されることにより、スライダおよび圧接部は、その状態に保持される。このように、スライダの上端部を下方に押圧するだけで、圧接部を設置面に容易に圧接させることができる。一方、ストッパを係合していた歯から外すだけで、ばねの付勢力によって、スライダが上方に移動するため、圧接状態の解除を容易に行うことができる。
【００１７】
請求項５に係る発明は、請求項１に記載のグランド型ピアノの支持装置において、ペダルユニット圧接機構は、圧接部から上方に延び、ペダルユニットに上下方向にスライド自在に取り付けられ、ガイドピンを有するスライダと、一端部がペダルユニットに支点を介して回動自在に取り付けられ、長さ方向に沿って形成されるとともに前記ガイドピンが移動自在に係合する溝を有する操作レバーと、支点とガイドピンとの間に設けられ、ガイドピンを操作レバーの他端部側に付勢する伸縮自在のばねと、をさらに有していることを特徴とする。
【００１８】
この支持装置によれば、操作レバーの他端部を押し下げると、操作レバーは、支点を中心として下方に回動する。また、スライダのガイドピンが、操作レバーの溝に移動自在に係合していることによって、スライダは、操作レバーの回動に伴い、支点とガイドピンの間に設けられたばねを圧縮させながら下方にスライドする。その際、ガイドピンは、ばねの反力により、操作レバーの他端部側に付勢される。この付勢力の一部は、ガイドピンを介してスライダをスライドさせる力として作用する。それにより、圧接部が設置面に当接すると、圧接部は、スライダに作用するばねの付勢力の一部によって下方に押圧され、設置面に圧接されるとともに、圧接された状態に維持される。このように、操作レバーの他端部を押し下げることによって回動させるだけで、圧接部を設置面に容易に圧接させることができる。また、操作レバーの他端部を持ち上げると、上記とまったく逆の動作によって、スライダが上方にスライドするので、圧接状態の解除を容易に行うことができる。
【００１９】
【発明の実施形態】
以下、本発明の好ましい実施形態を、図面を参照しながら説明する。図１および２は、本発明の第１実施形態を適用したグランド型電子ピアノ（グランド型ピアノ）（以下、単に「電子ピアノ」という）を示している。この電子ピアノ１は、アコースティックなグランドピアノの外形を模したものであり、水平な床面Ｆ（設置面）上に設置されている。また、この電子ピアノ１は、ピアノ本体２、設置面Ｆ上でピアノ本体２を支持する例えば３本の脚３、３、３、およびピアノ本体２から下方に延びるペダルユニット４などを備えている。
【００２０】
ピアノ本体２は、アコースティックなグランドピアノと同様の所定の形状に形成された側板５を有しており、その上端部には、ピアノ本体２を開閉する大屋根６が設けられている。また、側板５の下端部には、ピアノ本体２の下面全体を覆うように、棚板７が設けられている。この棚板７は、木製の合板によって、従来よりも薄く構成されている。この棚板７の裏面には、３本の脚３およびペダルユニット４が、後述するように取り付けられている。また、棚板７の上面前端部には、鍵盤８が設けられ、ピアノ本体２内には、鍵盤８の押鍵状態に応じて、電子ピアノ１の発音を制御するための多数の電子部品およびスピーカ（ともに図示せず）などが取り付けられており、鍵盤８の鍵８ａを押鍵することによって、スピーカから演奏音が発音される。
【００２１】
３本の脚３は、互いに同じ構成であり、それらの上端部が、棚板７の左右の端部および後端部に、脚取付ボルト（図示せず）によって、それぞれ強固に取り付けられている。また、各脚３は、矩形の断面を有し、下方に向かうにつれて、断面がテーパ状に小さくなるように構成されている。また、各脚３の下端には、電子ピアノ１を移動させるためのキャスター３ａが取り付けられている。すなわち、ピアノ本体２は、３本の脚３を介して、床面Ｆ上に支持されている。
【００２２】
ペダルユニット４は、その上端部が、棚板７の左右の脚３、３間の中央に取り付けられている。このペダルユニット４は、ペダル桁１０、２本のペダル柱１１、１１、およびペダルボックス１２などを有している。ペダル桁１０は、棚板７にペダル取付ボルト（図示せず）によって固定されており、このペダル桁１０には、左右２つの上取付孔１０ａ、１０ａが、上下方向に延びるように形成されている。２本のペダル柱１１、１１は、それらの上端部が、これら上取付孔１０ａ、１０ａに下方から嵌め込まれた状態で、それぞれ取り付けられている。各ペダル柱１１は、矩形の断面を有し、上下方向に延びており、その下端部には、ペダルボックス１２が取り付けられている。
【００２３】
ペダルボックス１２の上端部には、上取付孔１０ａと同様の左右２つの下取付孔１２ａ、１２ａが形成されており、これらの下取付孔１２ａ、１２ａに、ペダル柱１１の下端部が嵌め込まれることによって、ペダルボックス１２が、床面Ｆとの間に間隙を存した状態で取り付けられている。
【００２４】
ペダルボックス１２の内部には、例えば３つのペダル１３、１３、１３が左右方向に並んで取り付けられている。各ペダル１３は、例えばアルミダイカストの表面に真鍮を溶着したもので構成されており、その前端部の踏込み部１３ａが、ペダルボックス１２の前方に突出している。また、各ペダル１３の踏込み状態は、ペダルセンサ（図示せず）で検出され、その検出信号が、ピアノ本体２の電子部品に出力されるようになっており、演奏時に踏込み部１３ａを踏み込むことによって、演奏音の音色を変化させるなどのペダル効果が付与される。
【００２５】
図３に示すように、ペダルボックス１２の底面の中央には、ねじ受け１２ｃが設けられている。このねじ受け１２ｃには、アジャスタ１４が下方から取り付けられており、このアジャスタ１４は、圧接部１４ａおよびねじ部１４ｂを有している。
【００２６】
圧接部１４ａは、高い強度を有する材料、例えばＡＢＳによって、円板状に形成されており、ねじ部１４ｂは、圧接部１４ａの上面の中央から上方に延びている。このねじ部１４ｂが、ペダルボックス１２のねじ受け１２ｃにねじ込まれることによって、アジャスタ１４が、ペダルボックス１２に、上下方向に進退自在に取り付けられている。すなわち、これらのねじ受け１２ｃおよびアジャスタ１４によって、ペダルユニット圧接機構１５が構成されており、前述した３本の脚３およびペダルユニット圧接機構１５によって、電子ピアノ１の支持装置（以下、単に「支持装置」という）１６が構成されている。
【００２７】
次いで、このペダルユニット圧接機構１５の動作を説明する。まず、圧接部１４ａを持ち、アジャスタ１４を、ねじ部１４ｂがペダルボックス１２から外れる方向に回転させる。それにより、アジャスタ１４が下方に移動し、圧接部１４ａの底面が床面Ｆに当接する。アジャスタ１４を同じ方向にさらに回転させると、圧接部１４ａが床面Ｆに圧接された圧接状態になる。一方、この圧接状態から、アジャスタ１４を上述した場合と逆の方向に回転させると、アジャスタ１４が上方に移動し、圧接部１４ａが床面Ｆから離れることによって、圧接状態が解除される。
【００２８】
このように、床面Ｆへの圧接部１４ａの圧接によって、ペダルユニット４および圧接部１４ａが突っ張った状態で存在するので、ペダルユニット４のペダル１３の踏込み操作や強打演奏が行われた際にも、ピアノ本体２のたわみを防止でき、それにより、ピアノ本体２の揺動を防止することができる。
【００２９】
また、以上の結果、ピアノ本体２の揺動を防止するのに、側板５や棚板７などのピアノ本体２の構造部材、および脚３などに高い剛性が要求されないとともに、棚板７と脚３を従来ほど強固に連結する必要がなくなる。したがって、棚板７を軽薄化することや、従来用いられていた笠木および複数のペダル支えを省略することができ、その分、これらの加工や組立てに要する労力、および材料コストを削減でき、それにより、製造コストを削減することができる。また、電子ピアノ１全体の重量を軽減することができる。また、圧接部１４ａと床面Ｆとの間に作用する摩擦力によって、電子ピアノ１の滑動を防止でき、それにより、キャスター３ａのストッパが不要になることによって、製造コストをさらに削減することができる。
【００３０】
また、電子ピアノ１を移動させる際には、圧接部１４ａを上方に移動させ、圧接状態を解除することによって、電子ピアノ１の移動を支障なく行うことができる。このように、アジャスタ１４を回すだけの簡単な操作で、圧接部１４ａの圧接およびその解除を容易に行うことができる。また、本実施形態のペダルユニット圧接機構１５は、アジャスタ１４と、これを取り付けるためのねじ受け１２ｃだけで非常に単純に構成することができる。
【００３１】
図４は、上述した第１実施形態の第１変形例による電子ピアノ１のペダルユニット圧接機構２０を示している。なお、その他の構成部分については、上述した第１実施形態と同様であるので、同じ符号を用いるとともに、その説明は省略する。
【００３２】
この変形例によれば、ペダルボックス１２は、その背面の下端部から後方に突出する支持板１２ｄを有している。この支持板１２ｄの中央には、これを上下方向に貫通するねじ受け１２ｅが形成されている。また、このねじ受け１２ｅには、上方からアジャスタ２１のねじ部２１ａが、例えば図４のＡ方向（時計方向）にねじ込まれることによって取り付けられている。
【００３３】
アジャスタ２１は、ねじ部２１ａと、その上端部に一体に設けられた円板状の操作ノブ２１ｂと、ねじ部２１ａの下端部に取り付けられた圧接部２１ｃとを有している。圧接部２１ｃは、例えば硬質ゴムによって、前述した第１実施形態の圧接部１４ａと同様の円板状に形成されており、その上面の中央に、ねじ孔２１ｄが形成されている。このねじ孔２１ｄに、ねじ部２１ａがねじ込まれることによって圧接部２１ｃが着脱自在に取り付けられ、それにより、支持板１２ｄの上下に操作ノブ２１ｂおよび圧接部２１ｃが位置した状態になっている。
【００３４】
このようなペダルユニット圧接機構２０および前述した３本の脚３（図示せず）によって、支持装置２２が構成されている。
【００３５】
次いで、このペダルユニット圧接機構２０の動作を説明する。まず、操作ノブ２１ｂを時計方向に回転操作すると、アジャスタ２１が下方に移動する。そして、圧接部２１ｃの底面が、床面Ｆに当接する。そして、操作ノブ２１ｂをさらに回転させると、圧接部２１ｃが床面Ｆに圧接された圧接状態になる。一方、この圧接状態から、操作ノブ２１ｂを反時計方向に回転操作すると、アジャスタ２１が上方に移動し、圧接部２１ｃが床面Ｆから離れることによって、圧接状態が解除される。
【００３６】
以上のように、この支持装置２２によれば、操作ノブ２１ｂが、ペダルボックス１２の後方に突出する支持板１２ｄの上方に配置されていることによって、アジャスタ２１の操作を後方からより容易に行うことができる。また、支持板１２ｄにねじ込まれたねじ部２１ａに、圧接部２１ｃがさらに着脱自在にねじ込まれているので、圧接部２１ｃのみをペダルユニット４から容易に取り外すことができ、それにより、圧接部２１ｃの交換やペダルユニット圧接機構２０のメンテナンスを容易に行うことができる。
【００３７】
また、圧接部２１ｃが硬質ゴムによって構成されていることにより、圧接部２１ｃと床面Ｆとの間に作用する摩擦力がより大きくなるため、電子ピアノ１の滑動を、より確実に防止することができる。
【００３８】
図５は、上述した第１実施形態の第２変形例による電子ピアノ１のペダルユニット圧接機構６０を示している。なお、その他の構成部分については、上述した第１実施形態と同様であるので、同じ符号を用いるとともに、その説明は省略する。
【００３９】
この変形例によれば、ペダルボックス１２に、アジャスタボックス６１が取り付けられている。このアジャスタボックス６１は、取付ボルト６２を、アジャスタボックス６１を介してペダルボックス１２に後方からねじ込むことによって、ペダルボックス１２に着脱自在に取り付けられている。また、アジャスタボックス６１の底面の中央には、ねじ受け６１ａが設けられており、このねじ受け６１ａに、アジャスタ１４のねじ部１４ｂがねじ込まれることによって、アジャスタ１４が上下方向に進退自在に取り付けられている。このアジャスタ１４は、前述した第１実施形態のアジャスタ１４と同じ構成のものであり、その動作もまた同じである。
【００４０】
このようなペダルユニット圧接機構６０および前述した３本の脚３（図示せず）によって、支持装置６３が構成されている。
【００４１】
以上のように、この支持装置６３によれば、アジャスタボックス６１がペダルボックス１２に対して着脱自在に取り付けられていることによって、アジャスタボックス６１を、ペダルユニット４から後方に容易に取り外すことができる。さらに、アジャスタ１４をアジャスタボックス６１から取り外すこともでき、それにより、アジャスタ１４の交換やペダルユニット圧接機構６０のメンテナンスを、容易に行うことができる。
【００４２】
図６は、本発明の第２実施形態を適用した電子ピアノ１のペダルユニット圧接機構３０を示している。なお、その他の構成部分については、上述した第１実施形態と同様であるので、同じ符号を用いるとともに、その説明は省略する。
【００４３】
このペダルユニット圧接機構３０は、例えばペダルボックス１２の右側面に取り付けられており、前後２つの板状のガイド板３４、３４（一方のみ図示）を有している。各ガイド板３４は、ペダルボックス１２の右側面に垂直に立設するように取り付けられており、その内面には、上下方向に延びるレール３４ａが形成されている。また、これらのガイド板３４、３４の右端部間には、軸３４ｂが回動自在に取り付けられている。この軸３４ｂには、その軸線方向に対して直交するように、棒状のストッパ３５が一体に設けられている。また、軸３４ｂと一方のガイド板３４との間には、軸３４ｂを図５（ａ）の時計方向に付勢するばね（図示せず）が設けられている。それにより、軸３４ｂと一体のストッパ３５も時計方向に付勢されている。
【００４４】
ガイド板３４、３４の間には、スライダ３７が設けられている。このスライダ３７は矩形の断面を有し、上下方向に延びている。スライダ３７の前面および背面には、上下方向に延びるレール溝３７ａ、３７ａ（一方のみ図示）が形成されており、これらのレール溝３７ａ、３７ａが、上述したガイド板３４、３４のレール３４ａ、３４ａにそれぞれ係合することによって、スライダ３７は、上下方向にスライド自在になっている。
【００４５】
また、スライダ３７の外面には、多数の歯３６が上下方向に並ぶように形成されている。各歯３６は、ほぼ水平な水平面３６ａと、水平面の先端部から所定の角度で斜め下方に延びる傾斜面３６ｂによって構成されている。また、多数の歯３６の１つには、前述したストッパ３５の一端部が、歯３６側に付勢された状態で、下方から係合している。
【００４６】
また、スライダ３７の下端には、圧接部３８が一体に連結されている。この圧接部３８は、前述した第１実施形態の圧接部１４ａと同様に、例えばＡＢＳなどの高い強度を有する材料によって円板状に形成されており、その底面には、例えば軟質ゴムによって構成された弾性を有する接地シート３８ａが貼り付けられている。また、スライダ３７の上端には、同じくＡＢＳなどによって構成された円板状の押圧部３９が一体に連結されている。この押圧部３９と２つのガイド板３４、３４の間には、ばね４０が取り付けられており、このばね４０によって、押圧部３９ならびにこれと一体のスライダ３７および圧接部３８が、上方に付勢されている。
【００４７】
このようなペダルユニット圧接機構３０および前述した３本の脚３（図示せず）によって、支持装置４１が構成されている。
【００４８】
次いで、このペダルユニット圧接機構３０の動作について説明する。まず、図６（ａ）に示す解除状態において、押圧部３９を、例えば踏み込んで下方に押圧すると、押圧部３９が、これと一体のスライダ３７および圧接部３８と一緒に、ばね４０の付勢力に抗して下方にスライドする。その際、図示しないばねによって付勢されたストッパ３５が、歯３６に当接するが、歯３６が、前述したような水平面３６ａおよび傾斜面３６ｂで構成されていることによって、スライダ３７のスライドが歯３６によって妨げられることがない。そして、圧接部３８の接地シート３８ａが床面Ｆに当接すると、スライダ３７のスライドが停止し、接地シート３８ａが床面Ｆに押し付けられて圧縮され、圧接部３８が床面Ｆに圧接された状態になる。次いで、押圧部３９への押圧を解除すると、ストッパ３５の一端部が、多数の歯３６の１つと係合する。そして、この状態では、ストッパ３５が時計方向に付勢されていること、および歯３６が前述した構成を有していることによって、歯３６からのストッパ３５の外れが阻止され、それにより、圧接部３８が図６（ｂ）に示す圧接状態に保持される。
【００４９】
一方、この圧接状態にあるときに、再度、押圧部３９を下方に押圧しながら、ストッパ３５をばねの付勢力に抗して反時計方向に回動させることにより、ストッパ３５と歯３６との係合が解除される。それにより、ばね４０の付勢力によってスライダ３７が上方にスライドし、圧接状態が解除される。
【００５０】
以上のように、本実施形態の支持装置４１によれば、ペダルユニット圧接機構３０の押圧部３９を踏み込むだけで、圧接部３８を床面Ｆに容易に圧接させることができるとともに、圧接状態を確実に保持できる。また、ストッパ３５を、係合していた歯３６から外すだけで、ばね４０の付勢力によって圧接状態の解除を容易に行うことができる。
【００５１】
図７は、本発明の第３実施形態による電子ピアノ１のペダルユニット圧接機構５０を示している。なお、その他の構成部分については、上述した第１実施形態と同様であるので、同じ符号を用いるとともに、その説明は省略する。
【００５２】
このペダルユニット圧接機構５０は、例えばペダルボックス１２の左側面に取り付けられており、スライダ５１、操作レバー５２および伸縮自在のばね５３などを有している。ペダルボックス１２の左側面の下端部には、第２実施形態のガイド板３４と同様の、レール５４ａを有する左右２つの板状のガイド板５４、５４（一方のみ図示）が取り付けられている。
【００５３】
スライダ５１は、ガイド板５４、５４の間に設けられており、矩形の断面を有し、上下方向に延びている。このスライダ５１の前面および背面には、その中央部から下端部にわたって上下方向に延びるレール溝５１ａ、５１ａ（一方のみ図示）がそれぞれ形成されており、これらのレール溝５１ａ、５１ａと、上述したガイド板５４、５４のレール５４ａ、５４ａとの係合によって、スライダ５１は、上下方向にスライド自在になっている。また、スライダ５１の背面の上端部には、円柱状のガイドピン５５が取り付けられている。
【００５４】
スライダ５１の下端には、圧接部５６が一体に連結されている。この圧接部５６は、前述した第１実施形態の圧接部１４ａと同様に、例えばＡＢＳなどの高い強度を有する材料によって、例えば円板状に形成されている。
【００５５】
ペダルボックス１２の背面の左端部には、その上下方向のほぼ中央に、前記操作レバー５２が取り付けられている。この操作レバー５２は、一端部がペダルボックス１２の支点１２ｂに回動自在に取り付けられている。この操作レバー５２には、その長さ方向に沿って延びるガイド溝５２ａが形成されており、このガイド溝５２ａ内に、前述したガイドピン５５が移動自在に係合している。また、この操作レバー５２の他端部は、その他の部分よりも、やや幅の狭い操作部５２ｂになっている。また、ペダルボックス１２の支点１２ｂとガイドピン５５の間には、ガイドピン５５を介してスライダ５１を操作レバー５２の他端部側に付勢する伸縮自在の前記ばね５３が設けられている。
【００５６】
このようなペダルユニット圧接機構５０および前述した３本の脚３（図示せず）によって、支持装置５７が構成されている。
【００５７】
次いで、このペダルユニット圧接機構５０の動作について説明する。まず、図７（ａ）に示す解除状態において、操作レバー５２の操作部５２ｂを押し下げると、操作レバー５２は、支点１２ｂを中心として下方に回動する。また、スライダ５１のガイドピン５５が、操作レバー５２のガイド溝５２ａに移動自在に係合していることによって、スライダ５１は、操作レバー５２の回動に伴って、支点１２ｂとガイドピン５５の間に設けられたばね５３を圧縮させながら、下方にスライドする。その際、スライダ５１は、ガイドピン５５を介し、ばね５３の反力によって、操作レバー５２の他端部側に付勢される。この付勢力の上下方向の分力が、スライダ５１をスライドさせる力として作用する。具体的には、操作レバー５２が水平になるまでは、スライダ５１を上方に付勢する力として、それ以降は、スライダ５１を下方に付勢する力として作用する。そして、圧接部５６が床面Ｆに当接すると、操作部５２ｂを押し下げる操作を停止しても、圧接部５６は、スライダ５１に作用するばね５３の下向きの分力によって下方に押圧され、床面Ｆに圧接されるとともに、図７（ｂ）に示す圧接状態に維持される。
【００５８】
一方、操作レバー５２の操作部５２ｂを、ばね５３の付勢力に抗して押し上げると、上記とまったく逆の動作によって、スライダ５１および圧接部５６が上方にスライドすることにより、圧接状態が解除される。そして、操作レバー５２が、上方に回動し、水平になる角度を超えると、スライダ５１は、ばね５３の上向きの付勢力によって、所定の位置まで上方にスライドし、解除状態に戻る。
【００５９】
以上のように、本実施形態の支持装置５７によれば、操作レバー５２の操作部５２ｂを下方に押し下げることにより、操作レバー５２を下方に回動させるだけで、圧接部５６を床面Ｆに容易に圧接させることができるとともに、圧接状態を確実に保持することができる。また、操作レバー５２の操作部５２ｂを持ち上げると、上記とまったく逆の動作によって、スライダ５１が上方にスライドするので、圧接状態の解除を容易に行うことができる。
【００６０】
なお、本発明の各実施形態は、グランド型の電子ピアノに適用した例であるが、これに限定されることなく、アコースティックなグランドピアノにも適用することができる。また、特に、第１実施形態は、アップライト型ピアノなど、ペダルを有するすべての鍵盤楽器に適用することができる。
【００６１】
【発明の効果】
以上のように、本発明のグランド型ピアノの支持装置は、ピアノ全体として従来ほど剛性を高めることなく、ペダルの踏込み時や強打演奏時におけるピアノ本体の揺動を防止でき、製造コストを削減することができるなどの効果を有する。
【図面の簡単な説明】
【図１】本発明を適用した支持装置を備えたグランド型電子ピアノを示す斜視図である。
【図２】図１の電子ピアノを示す正面図である。
【図３】本発明の第１実施形態によるペダルユニット圧接機構を後方から示す図である。
【図４】本発明の第１実施形態の第１変形例によるペダルユニット圧接機構を後方から示す図である。
【図５】本発明の第１実施形態の第２変形例によるペダルユニット圧接機構を左方から示す図である。
【図６】本発明の第２実施形態によるペダルユニット圧接機構の（ａ）解除状態および（ｂ）圧接状態を前方から示す図である。
【図７】本発明の第３実施形態によるペダルユニット圧接機構の（ａ）解除状態および（ｂ）圧接状態を後方から示す図である。
【符号の説明】
１    電子ピアノ（グランド型ピアノ）
２    ピアノ本体
３    脚
４    ペダルユニット
１２ｂ  支点
１４ａ  圧接部
１４ｂ  ねじ部
１５    ペダルユニット圧接機構
１６    支持装置
２０    ペダルユニット圧接機構
２１ａ  ねじ部
２１ｃ  圧接部
２２    支持装置
３０    ペダルユニット圧接機構
３５    ストッパ
３６    歯
３７    スライダ
３８    圧接部
４０    ばね
４１    支持装置
５０    ペダルユニット圧接機構
５１    スライダ
５２    操作レバー
５２ａ  ガイド溝（溝）
５３    ばね
５５    ガイドピン
５６    圧接部
５７    支持装置
６０    ペダルユニット圧接機構
６３    支持装置
Ｆ    床面（設置面）
【図１】
2004151593.tif 000003
【図２】
2004151593.tif 000004
【図３】
2004151593.tif 000005
【図４】
2004151593.tif 000006
【図５】
2004151593.tif 000007
【図６】
2004151593.tif 000008
【図７】
2004151593.tif 000009